(57)【要約】【課題】デジタル放送の受信が可能なテレビジョン受信装置において、複数のサブチャンネルを組み合わせて表示部に表示可能とする。【解決手段】１つのメインチャンネルは、１つのサブチャンネルに映像情報が割り当てられているとともに、他のサブチャンネルに字幕言語情報、音声言語情報または手話言語情報の少なくとも１つ以上がそれぞれ個別に割り当てられており、リモコン送信機４１により１つのメインチャンネルに含まれる複数のサブチャンネルの中から同時に表示する１または複数のサブチャンネルが選択されると、ＴＶ側マイコン２１は、前記映像情報に、選択された字幕言語情報、音声言語情報または手話情報の少なくとも１つ以上を重畳して表示部２６に表示する。【選択図】図１
2007235794.tif 000002
【特許請求の範囲】
【請求項１】
１つのメインチャンネルで複数のサブチャンネルの番組が放送できるデジタル放送を受信可能に設けられたテレビジョン受信装置において、
１つのメインチャンネルは、１つのサブチャンネルに映像情報が割り当てられているとともに、他のサブチャンネルに字幕言語情報、音声言語情報または手話言語情報の少なくとも１つ以上がそれぞれ個別に割り当てられており、
１つのメインチャンネルに含まれる複数のサブチャンネルの中から同時に表示する１または複数のサブチャンネルを選択する選択手段と、
前記選択手段にて選択された複数のサブチャンネルの情報を同時に表示する表示制御手段とを備えており、
前記表示制御手段は、前記映像情報に、選択された字幕言語情報、音声言語情報または手話言語情報の少なくとも１つ以上を重畳して表示するとともに、前記選択手段により第１字幕言語情報が割り当てられたサブチャンネルと第２字幕言語情報が割り当てられたサブチャンネルとが選択されている場合には、両方の字幕言語情報を映像情報に重畳して表示し、かつ、前記字幕言語情報を重畳して表示しているときには、音声出力に合わせて字幕の文字の色を順次変化させていくことを特徴とするテレビジョン受信装置。
【請求項２】
１つのメインチャンネルで複数のサブチャンネルの番組が放送できるデジタル放送を受信可能に設けられたテレビジョン受信装置において、
１つのメインチャンネルに含まれる複数のサブチャンネルの中から同時に表示する１または複数のサブチャンネルを選択する選択手段と、
前記選択手段にて選択された複数のサブチャンネルの情報を同時に表示する表示制御手段とを備えたことを特徴とするテレビジョン受信装置。
【請求項３】
前記１つのサブチャンネルに映像情報が割り当てられているとともに、他のサブチャンネルに字幕言語情報、音声言語情報または手話言語情報の少なくとも１つ以上がそれぞれ個別に割り当てられており、
前記表示制御手段は、前記映像情報に、選択された字幕言語情報、音声言語情報または手話言語情報の少なくとも１つ以上を重畳して表示することを特徴とする請求項２に記載のテレビジョン受信装置。
【請求項４】
前記表示制御手段は、前記選択手段により第１字幕言語情報が割り当てられたサブチャンネルと第２字幕言語情報が割り当てられたサブチャンネルとが選択されている場合には、両方の字幕言語情報を映像情報に重畳して表示することを特徴とする請求項３に記載のテレビジョン受信装置。
【請求項５】
前記表示制御手段は、前記字幕言語情報を重畳して表示しているときには、音声出力に合わせて字幕の文字の色を順次変化させていくことを特徴とする請求項３に記載のテレビジョン受信装置。
【発明の詳細な説明】
【技術分野】
【０００１】
本発明は、１つのメインチャンネルで複数のサブチャンネルの番組が放送できるデジタル放送の受信が可能なテレビジョン受信装置に関する。
【背景技術】
【０００２】
デジタル放送では、１つのメインチャンネルで複数の番組を同時に放送することから、サブチャンネルを設けている。番組は、サブチャンネル単位で放送される。
【０００３】
従って、ユーザは、見たい番組を選択する場合、まずメインチャンネルを選択し、その後、そのメインチャンネルの中のサブチャンネルを選択するといった操作を行うことになる。この場合、このような操作を簡単化する技術が従来から提案されている（例えば、特許文献１参照）。
【０００４】
特許文献１に記載の技術は、現在表示されている多チャンネル放送のサブチャンネルの内容をＯＳＤ表示するようになっている。従って、ユーザは、このＯＳＤ表示されているサブチャンネルの内容から、視聴したいサブチャンネルを選択することで、１つのサブチャンネルの放送番組を視聴することが可能となる。
【特許文献１】特開平１１−３５５２２５号公報
【発明の開示】
【発明が解決しようとする課題】
【０００５】
ところで、上記したように、従来のデジタル放送では、各サブチャンネルに個別の番組が放送されており、ユーザは、これら各サブチャンネルの中から視聴したい１つのサブチャンネルを選択することで、そのサブチャンネルの放送番組を視聴するのが一般的な形態であった。すなわち、各サブチャンネルには、それぞれ独立した放送番組が割り当てられているのが一般的であった。
【０００６】
しかし、１つのメインチャンネルで複数のサブチャンネルの番組が放送可能なデジタル放送では、これ以外にもユーザにとって便利な種々の利用形態が考えられる。例えば、サブチャンネルの１チャンネルに映像情報を割り当て、２チャンネルにその映像情報の音声情報を割り当て、３チャンネルにその映像情報の字幕情報を割り当てる、といったことが可能であるが、現在のところ、デジタル放送においてこのような放送形態は実施されていない。一方、このような放送形態のデジタル放送を受信するテレビジョン受信装置においても、このような複数のサブチャンネルを組み合わせてモニタに表示するといった機能を備えているものはない。
【０００７】
本発明はかかる実情に鑑みて創案されたもので、その目的は、デジタル放送の受信が可能なテレビジョン受信装置において、複数のサブチャンネルを組み合わせて表示部に表示することを可能としたテレビジョン受信装置を提供することにある。
【課題を解決するための手段】
【０００８】
上記課題を解決するため、本発明のテレビジョン受信装置は、１つのメインチャンネルで複数のサブチャンネルの番組が放送できるデジタル放送を受信可能に設けられたテレビジョン受信装置において、１つのメインチャンネルに含まれる複数のサブチャンネルの中から同時に表示する１または複数のサブチャンネルを選択する選択手段と、前記選択手段にて選択された複数のサブチャンネルの情報を同時に表示する表示制御手段とを備えたことを特徴とする。
【０００９】
この場合、前記１つのサブチャンネルに映像情報が割り当てられているとともに、他のサブチャンネルに字幕言語情報、音声言語情報または手話言語情報の少なくとも１つ以上がそれぞれ個別に割り当てられており、前記表示制御手段は、前記映像情報に、選択された字幕言語情報、音声言語情報または手話言語情報の少なくとも１つ以上を重畳して表示するように構成してもよい。
【００１０】
このような特徴を有する本発明によれば、例えば外国映画がサブ１チャンネルで放送されており、サブ２チャンネルに、この外国映画の字幕言語情報として「日本語」、サブ３チャンネルに、この外国映画の字幕言語情報として「英語」、サブ４チャンネルに、この外国映画の字幕言語情報として「韓国語」、・・・、の各字幕言語情報が割り当てられており、サブｍチャンネルに、この外国映画の音声言語情報として「日本語」、サブｍ＋１チャンネルに、この外国映画の音声言語情報として「英語」、サブｍ＋２チャンネルに、この外国映画の音声言語情報として「韓国語」、・・・、の各音声言語情報が割り当てられており、さらにサブｎチャンネルに、手話映像（手話言語）情報として「日本語」、サブｎ＋１チャンネルに、手話映像情報として「英語」、サブｎ＋２チャンネルに、手話映像情報として「韓国語」、・・・、の各手話映像情報が割り当てられている場合において、ユーザが、字幕言語として例えばサブ３チャンネルの「英語」を選択し、再生音声としてサブｍチャンネルの「日本語」を選択し、さらに手話映像としてサブｎチャンネルの「日本語」を選択すると、表示部には、日本語音声による再生映像に合わせて、再生映像の例えば画面下側に、英語による字幕と、日本語による手話映像とが表示されることになる。このように、サブチャンネルを利用して字幕言語や音声言語、手話映像などを個別に割り当てて放送し、受信側では、これらを組み合わせて同時に表示することで、ユーザの好みに応じた種々の形態で番組を視聴することが可能となる。例えば、音声出力を英語とし、字幕も英語とすることで、英語の発音とヒアリングの練習用として利用することができる。
【００１１】
この場合、前記表示制御手段は、前記選択手段により第１字幕言語情報が割り当てられたサブチャンネルと第２字幕言語情報が割り当てられたサブチャンネルとが選択されている場合には、両方の字幕言語情報を映像情報に重畳して表示するように構成してもよい。このように２か国語の字幕情報を同時に表示することで、語学勉強などに利用することができる。
【００１２】
また、前記表示制御手段は、前記字幕言語情報を重畳して表示しているときには、音声出力に合わせて字幕の文字の色を順次変化させていくように構成してもよい。例えば、音声出力を英語とし、字幕も英語とすることで、英語の発音とヒアリングの練習を同時に行うことが可能となる。
【発明の効果】
【００１３】
本発明のテレビジョン受信装置によれば、サブチャンネルを利用して字幕言語や音声言語、手話映像などを個別に割り当てて放送し、受信側では、これらを組み合わせて同時に表示することで、ユーザの好みに応じた種々の形態で番組を視聴することができる。また、第１字幕言語情報が割り当てられたサブチャンネルと第２字幕言語情報が割り当てられたサブチャンネルとを選択した場合には、両方の字幕言語情報を映像情報に重畳して表示するように構成したので、語学勉強などに利用することができる。さらに、音声出力に合わせて字幕の文字の色を順次変化させていくように構成したので、例えば音声出力を英語とし、字幕も英語とすることで、英語の発音とヒアリングの練習を同時に行うことができる。
【発明を実施するための最良の形態】
【００１４】
以下、本発明の実施の形態について、図面を参照して説明する。
【００１５】
図１は、本実施形態に係わるテレビジョン受信装置の要部の電気的構成を示す機能ブロック図である。本実施形態のテレビジョン受信装置は、アナログ放送とデジタル放送の両方の受信が可能であるものとする。ただし、テレビジョン受信装置によるアナログ放送の映像及び音声の信号処理、及びデジタル放送の映像及び音声の信号処理については従来周知の処理であるので、ここではアナログ放送及びデジタル放送の両方の信号処理を含めてＴＶ信号処理部として簡単な機能ブロックで示している。
【００１６】
本実施形態のテレビジョン受信装置は、ＴＶ制御系２０が筐体内に格納されたもので、ＴＶ制御系２０全体を制御するＴＶ側マイコン２１を備えている。
【００１７】
すなわち、アナログ放送及びデジタル放送の両方のテレビジョン信号を受信するチューナ回路２２の出力は、アナログ放送及びデジタル放送の両方の信号処理を行うＴＶ信号処理部２４に接続されており、ＴＶ信号処理部２４の出力は、切換回路２５を介してＣＲＴまたは液晶パネル等の表示部２６に接続されている。また、ＴＶ信号処理部２４の出力は、増幅器２７を介して内部スピーカ２８に接続されている。ＴＶ信号処理部２４は、テレビジョン受信装置の各種設定を行うためのセットアップ画面やチャンネル選択時のチャンネル選択画面、及び後述する複数のサブチャンネルの情報を表示部２６に同時表示するためのサブチャンネルの選択画面、などを含む各種設定画面を表示するＯＳＤ回路２４ａを備えている。
【００１８】
ＴＶ側マイコン２１は、チューナ回路２２を介して受信したアナログまたはデジタルのテレビジョン信号を映像信号や音声信号に復号し、映像信号を表示部２６に表示するとともに音声信号を内部スピーカ２８から出力するＴＶ信号処理部２４を制御する。
【００１９】
また、ＴＶ側マイコン２１には、リモコン送信機４１からの各種操作信号を受信する受信部３１の出力が接続されている。ＴＶ側マイコン２１は、このリモコン送信機４１から送信されてくる各種操作信号に基づいて、ＴＶ制御系２０の動作制御を行うようになっている。
【００２０】
図２は、リモコン送信機４１のキー配置構造の要部の一例を示している。
【００２１】
このリモコン送信機４１は、電源キー４１ａ、機能キー４１ｂ、テンキー４１ｃ、チャンネルアップダウンキー４１ｄ、音量アップダウンキー４１ｅ、メニューキー４１ｆ、上下左右キー４１ｊ、上下左右キーの中央に配置された決定キー４１ｋなどが配置されており、これ以外にも図示は省略しているが、操作に必要な種々の機能キーが配置されている。
【００２２】
ところで、デジタル放送では、１つのメインチャンネルで複数の番組を同時に放送することから、サブチャンネルを設けており、通常、番組はサブチャンネル単位で放送されている。そこで、本実施形態では、このデジタル放送の放送形態に着目し、１つのメインチャンネルに含まれる複数のサブチャンネルについて、１つのサブチャンネルに映画等の映像情報を割り当て、他のサブチャンネルにその映像情報に関連した字幕言語情報、音声言語情報または手話映像情報の少なくとも１つ以上をそれぞれ個別に割り当てて放送する構成としている。
【００２３】
図３は、デジタル放送の１つのメインチャンネルに含まれるサブチャンネルの一構成例を示している。
【００２４】
この例では、メインチャンネルに含まれるサブチャンネルとして、外国映画がサブ１チャンネルで放送されており、サブ２チャンネルに、この外国映画の字幕言語情報として「日本語」、サブ３チャンネルに、この外国映画の字幕言語情報として「英語」、サブ４チャンネルに、この外国映画の字幕言語情報として「韓国語」、・・・、の各字幕言語が割り当てられており、サブｍチャンネルに、この外国映画の音声言語情報として「日本語」、サブｍ＋１チャンネルに、この外国映画の音声言語情報として「英語」、サブｍ＋２チャンネルに、この外国映画の音声言語情報として「韓国語」、・・・、の各音声言語情報が割り当てられており、さらにサブｎチャンネルに、手話映像情報として「日本語」、サブｎ＋１チャンネルに、手話映像情報として「英語」、サブｎ＋２チャンネルに、手話映像情報として「韓国語」、・・・、の各手話映像情報が割り当てられている。
【００２５】
受信側である本テレビジョン受信装置では、これら複数のサブチャンネルの中から同時に表示する１または複数のサブチャンネルがリモコン送信機４１等によって選択操作されると、ＴＶ側マイコン２１は、選択された複数のサブチャンネルの情報を同時に表示部２６に表示するようになっている。
【００２６】
以下、この選択操作によるＴＶ側マイコン２１の表示制御動作について、図４に示すフローチャート及び図５に示す表示画面例を参照して説明する。
【００２７】
リモコン送信機４１の電源キー４１ａを操作してテレビジョン受信装置の電源をオンし、デジタル放送の受信を選局する（ステップＳ１）。デジタル放送の選局は、電源オン後、リモコン送信機４１のメニューキー４１ｆを操作してデジタル放送とアナログ放送の選択画面（図示省略）を表示し、次に、リモコン送信機４１の例えば上下左右キー４１ｊを操作してカーソルを移動させることによりデジタル放送を選択し、その状態で決定キー４１ｋを操作することで選局できる。ただし、このような選局方法に限るわけではなく、例えばリモコン送信機４１にアナログ放送とデジタル放送の選局キー（図示省略）を設けておき、この選局キーを操作することで直接デジタル放送を選局するようにしてもよい。
【００２８】
デジタル放送を選局すると、表示部２６には、受信可能なメインチャンネルの一覧がＯＳＤ表示されるので、ユーザは、一覧表示されたメインチャンネルの中から受信したいメインチャンネルを例えば上下左右キー４１ｊを操作してカーソルを移動させることにより選択し、決定キー４１ｋを操作することで選局する（ステップＳ２）。
【００２９】
１つのメインチャンネルを選局すると、表示部２６には、そのメインチャンネルに含まれる選択可能なサブチャンネルの一覧がＯＳＤ表示される。ここでは、図３に示すメインチャンネルに対応したサブチャンネルが表示されているものとする。
【００３０】
ここで、ユーザは、例えば上下左右キー４１ｋを操作して、まずサブ１チャンネルを選択し（ステップＳ３）、次に、字幕言語としてサブ３チャンネルに割り当てられた「英語」を選択し、次に、再生音声としてサブｍチャンネルに割り当てられた「日本語」を選択し、さらに、手話映像としてサブｎチャンネルに割り当てられた「日本語」を選択し、最後に決定キー４１ｋを操作したとする（ステップＳ４）。ただし、字幕言語、再生音声、手話映像については、これらの全てを選択する必要はなく、ユーザの都合によって任意のサブチャンネルのみを選択すればよい。また、字幕言語と手話映像については、１種類に限らず、２種類以上選択可能としてもよい。
【００３１】
これにより、図５（ａ）に示すように、表示部２６には、日本語音声による再生映像Ａに合わせて、再生映像Ａの画面下側に、英語による字幕Ｂと、日本語による手話映像Ｃとが表示されることになる（ステップＳ５）。
【００３２】
このように、サブチャンネルを利用して字幕言語や音声言語、手話映像などを個別に割り当てて放送し、テレビジョン受信装置側では、これらを任意に組み合わせて同時に表示することで、ユーザの好みに応じた種々の形態で番組を視聴することが可能となる。
【００３３】
例えば、音声出力を英語とし、字幕も英語とすることで、英語の発音とヒアリングの練習用として利用することができる。
【００３４】
また、字幕言語としてサブ２チャンネルの日本語とサブ３チャンネルの英語の両方が選択されている場合には、図５（ｂ）に示すように、両方の字幕Ｂ１，Ｂ２を再生映像Ａに重畳して表示部２６に表示するように構成してもよい。このように２か国語の字幕を同時に表示することで、語学勉強などに利用することができる。
【００３５】
さらに、ＴＶ側マイコン２１は、図５（ａ），（ｂ）に示すように字幕言語Ｂを再生映像Ａに重畳して表示しているときには、音声出力に合わせて字幕言語の文字の色を順次変化させていくように構成してもよい。例えば、音声出力を英語とし、字幕も英語とすることで、英語の発音とヒアリングの練習を同時に行うことが可能となる。
【図面の簡単な説明】
【００３６】
【図１】本発明のテレビジョン受像機の要部の電気的構成を示す機能ブロック図である。
【図２】リモコン送信機のキー配置構造の要部の一例を示す説明図である。
【図３】デジタル放送の１つのメインチャンネルに含まれるサブチャンネルの一構成例を示す説明図である。
【図４】リモコン送信機の選択操作によるＴＶ側マイコンの表示制御動作処理を示すフローチャートである。
【図５】リモコン送信機の選択操作によるＴＶ側マイコンの表示制御動作処理による表示画面例を示す説明図である。
【符号の説明】
【００３７】
２０  ＴＶ制御系
２１  ＴＶ側マイコン
２２  チューナ回路
２４  ＴＶ信号処理部
２４ａ  ＯＳＤ回路
２５  切換回路
２６  表示部
２７  増幅器
２８  スピーカ
２９  ＴＶ側メモリ部
３１  受信部
４１  リモコン送信機
４１ａ  電源キー
４１ｂ  機能キー
４１ｃ  テンキー
４１ｄ  チャンネルアップダウンキー
４１ｅ  音量アップダウンキー
４１ｆ  メニューキー
４１ｊ  上下左右キー
４１ｋ  決定キー
【図１】
2007235794.tif 000003
【図２】
2007235794.tif 000004
【図３】
2007235794.tif 000005
【図４】
2007235794.tif 000006
【図５】
2007235794.tif 000007